(57)【要約】【課題】任意の数の灯具本体を任意の方向に並べて連結したり、任意の形状となるように連結することができる照明器具を提供する。【解決手段】互いに連結可能な照明器具１１であって、光源を有する灯具本体２１と、前記光源を覆うセード６１と、前記灯具本体２１を他の灯具本体２１と連結可能な連結部２４と、を備え、前記連結部２４は、前記灯具本体２１の対向する２ヶ所と、当該２ヶ所の連結部２４以外に少なくとも１ヶ所とに配置される。【選択図】図４
2015210964.tif 000002
【特許請求の範囲】
【請求項１】
光源を有する灯具本体と、
前記光源を覆うセードと、を備える照明器具であって、
前記灯具本体は、他の灯具本体と連結可能な連結部を備える、照明器具。
【請求項２】
請求項１に記載の照明器具であって、
前記連結部は、前記灯具本体の対向する２ヶ所と、当該２ヶ所の連結部以外に少なくとも１ヶ所に配置される、照明器具。
【請求項３】
請求項１に記載の照明器具であって、
前記セードは、前記光源に対向する位置にレンズ形状に形成されたレンズ部を有する、照明器具。
【請求項４】
請求項３に記載の照明器具であって、
前記レンズ部の周囲に前記光源からの光を拡散する拡散部を備える、照明器具。
【請求項５】
請求項１に記載の照明器具であって、
前記セードは、前記光源に対向する位置に配置される内側セードと、前記内側セードにおいて光源に対向する面の裏側に配置される外側セードとを備える、照明器具。
【請求項６】
請求項１に記載の照明器具であって、
前記光源に対向する位置にレンズ形状に形成されたレンズ部を有する第１セードと、
前記光源に対向する位置に配置される内側セードと、前記内側セードにおいて光源に対向する面の裏側に配置される外側セードとを備える第２セードと、を備え、
前記灯具本体は、前記第１セード及び前記第２セードを選択的に着脱可能である、照明器具。
【請求項７】
照明器具に取り付けられるセードであって、
前記光源に対向して配置されるレンズ部と、
前記レンズ部の周囲に形成される光拡散部と、を有する、セード。
【発明の詳細な説明】
【技術分野】
【０００１】
本発明は、照明器具及びセードに関する。
【背景技術】
【０００２】
従来から、複数個を連結し、直線状に並べて用いられる照明器具が種々提案されている（例えば、特許文献１参照）。
【０００３】
特許文献１では、複数個を直線状に並べて用いられる照明器具であって、交流電源から電力を供給されて光源を点灯させる点灯装置と、上記並べられる方向に長い形状であって点灯装置を保持するとともに光源が取り付けられる器具本体（灯具本体）とを備える照明器具が開示されている。
【先行技術文献】
【特許文献】
【０００４】
【特許文献１】特開２００８−３００２４２号公報
【発明の概要】
【発明が解決しようとする課題】
【０００５】
しかしながら、特許文献１の照明器具では、器具本体（灯具本体）が直線状に並べられて連結する構成であるため、特許文献１の照明器具では、任意の数の器具本体（灯具本体）を任意の方向に並べて連結したり、任意の形状となるように連結することができない。
【０００６】
そこで、本発明は、上記課題に鑑みてなされたものであり、任意の数の灯具本体を任意の方向に並べて連結したり、任意の形状となるように連結することができる照明器具を提供することを目的とする。
【課題を解決するための手段】
【０００７】
本発明の解決しようとする課題は以上の如くであり、次にこの課題を解決するための手段を説明する。
【０００８】
すなわち、本願に開示する照明器具は、
光源を有する灯具本体と、
前記光源を覆うセードと、を備える照明器具であって、
前記灯具本体は、他の灯具本体と連結可能な連結部を備えるものである。
【０００９】
本願に開示する照明器具において、
前記連結部は、前記灯具本体の対向する２ヶ所と、当該２ヶ所の連結部以外に少なくとも１ヶ所に配置されることが好ましい。
【００１０】
本願に開示する照明器具において、
前記セードは、前記光源に対向する位置にレンズ形状に形成されたレンズ部を有することが好ましい。
【００１１】
本願に開示する照明器具において、
前記レンズ部の周囲に前記光源からの光を拡散する拡散部を備えることが好ましい。
【００１２】
本願に開示する照明器具において、
前記セードは、前記光源に対向する位置に配置される内側セードと、前記内側セードにおいて光源に対向する面の裏側に配置される外側セードとを備えることが好ましい。
【００１３】
本願に開示する照明器具において、
前記光源に対向する位置にレンズ形状に形成されたレンズ部を有する第１セードと、
前記光源に対向する位置に配置される内側セードと、前記内側セードにおいて光源に対向する面の裏側に配置される外側セードとを備える第２セードと、を備え、
前記灯具本体は、前記第１セード及び前記第２セードを選択的に着脱可能であることが好ましい。
【００１４】
本願に開示するセードは、
照明器具に取り付けられるセードであって、
前記光源に対向して配置されるレンズ部と、
前記レンズ部の周囲に形成される光拡散部と、を有するものである。
【発明の効果】
【００１５】
本発明によれば、任意の数の灯具本体を任意の方向に並べて連結したり、任意の形状となるように連結することができる。
【図面の簡単な説明】
【００１６】
【図１】本発明の実施形態に係る照明器具を示す斜視図。
【図２】照明器具を示す平面図。
【図３】照明器具を示す側面図。
【図４】照明器具（セードを取り外した状態）を示す平面図。
【図５】照明器具の取付面側を示す図。
【図６】図５におけるＡ−Ａ′線断面図。
【図７】図５におけるＢ−Ｂ′線断面図。
【図８】（ａ）は連結部材を示す図、（ｂ）は送り配線用コードを示す図。
【図９】セードの裏側（取付面側）を示す図。
【図１０】本発明の別実施形態に係る照明器具を示す斜視図。
【図１１】図１０におけるＣ−Ｃ′線断面図。
【図１２】照明器具を連結した状態を示す図であり、（ａ）は側面図、（ｂ）は平面図。
【発明を実施するための形態】
【００１７】
本発明の実施形態に係る照明器具１１について、図１から図１２を用いて説明する。本実施形態に係る照明器具１１は、ＬＥＤ素子４２を光源とする照明器具である。照明器具１１は、例えば天井面等の取付面に直接取り付けられるシーリングライトとして使用することが可能である。なお、照明器具１１は、天井面に限らず、壁に取り付けてブラケットライトとして使用することも可能である。照明器具１１は、取付面に単独で設置したり、互いに連結可能であり、複数個を連結して設置したりすることができる。以下の説明では、照明器具１１の光を照射する側を照明器具１１の照射面側とし、照明器具１１における天井面等の取付面に対向する側を照明器具１１の取付面側（照射面側の反対側）として説明する。また、図６、図７に示す照明器具１１において、説明の便宜上前記照射面側を上方とし、前記取付面側を下方として説明する。また、以下の説明において、上方から照明器具１１等を視た状態を平面視とする。上下方向に対して直交方向から照明器具１１等を視た状態を側面視とする。照明器具１１等の断面形状を視た状態を断面視とする。
【００１８】
図１から図７に示すように、照明器具１１は、灯具本体２１、電源部３１、端子台３５、光源部（ＬＥＤモジュール基板）４１、光源カバー５１、及びセード６１を主に備える。照明器具１１の外形は、平面視において略正方形状であって、照明器具１１の高さ方向（図６の照明器具１１の上下方向）の寸法が、照明器具１１の幅方向（図６の照明器具１１の上下方向に対して直交方向）の寸法よりも小さい薄型の略四角柱形状である。
なお、照明器具１１の外形形状は、本実施形態に限定されるものではない。平面視において略正方形状以外に、例えば、長方形状や多角形状にすることもできる。
【００１９】
灯具本体２１は、平面視において略正方形状であって、照射面側（図６では、上側）が開口された有底で薄型の略直方体形状の部材である。灯具本体２１は、電源部３１、端子台３５、光源部４１、光源カバー５１、及びセード６１等を保持するものである。具体的には、灯具本体２１は、電源部３１、光源部４１、及び光源カバー５１を収容部２２に収容し、セード６１をセード取付部２３ａに取り付けて灯具本体２１の照射面側に保持する部材である。灯具本体２１を構成する材料としては、例えば熱伝導率の高いアルミニウムやアルミニウム合金等の金属材料が挙げられる。灯具本体２１は、光源部４１で発生した熱を伝えて外部に放出する放熱機能も有する。灯具本体２１は、電源部３１、端子台３５、光源部４１、光源カバー５１及びセード６１等を保持可能な耐久性と、光源部４１が発する熱を放熱させるための熱伝導性とを考慮し、アルミニウム等の金属材料を用いて形成されている。灯具本体２１は、平面視における外形形状が、セード６１の外形形状と略一致するかやや大きくなるように形成されている。
なお、灯具本体２１は、耐久性及び必要な放熱性が確保できる材料であれば、アルミニウムなどの金属に限らず、樹脂などの他の材料、もしくはそれらの組み合わせで形成することができる。本実施形態の灯具本体２１は、有底で略直方体形状に形成されるが、このように、灯具本体２１を形成することで、灯具本体２１の強度や剛性を上げることができる。
また、本実施形態においては、灯具本体２１の形状が有底略直方体形状に形成されているが、この形状に特に限定するものではない。
【００２０】
灯具本体２１は、収容部２２、外枠部２３及び連結部２４を有している。
【００２１】
収容部２２は、平面視が略正方形状で外形が凹状であって、電源部３１、端子台３５、光源部４１、光源カバー５１や配線等を収容して配置するための部分であり、内部にこれらを収容するための高さ及び幅が確保されている。収容部２２は、中央部において照射面側に突出する光源取付部２５と、該光源取付部２５の周囲に連設される底面部２６と、該底面部２６の外周端から立設する周壁部２７を有している。収容部２２は、上端が開放され、光源取付部２５、底面部２６及び周壁部２７に囲まれて区画される扁平な略四角柱状の空間である。底面部２６は、取付部材（図示せず）により天井面等の取付面に取り付けられる。
【００２２】
光源取付部２５は、光源部（ＬＥＤモジュール基板）４１が取り付けられる部分である。光源取付部２５は、平面視円形状で収容部２２の略中央部に設けられ、灯具本体２１の照射面側(図６では上側)に突出する部分である。すなわち、光源取付部２５は、断面形状が照射面側（上方）に向けて台形状に突出する部分である。光源取付部２５は、円形状の取付面２５ａを有し、該取付面２５ａに光源部４１の基板４３が当接した状態で取り付けられる。灯具本体２１は、光源部４１で発生した熱を伝えて外部に放出する放熱機能も有するため、光源部４１が当接される光源取付部２５の取付面２５ａは、光源部４１との接触面積が広くなるよう平坦に形成されている。
なお、本実施形態では、光源取付部２５の取付面２５ａの平面視形状を円形状としているが、特に限定するものではなく、少なくとも基板４３の一部が取付可能であればよく、円形状以外のその他の形状であってもよい。
【００２３】
底面部２６は、光源取付部２５の周囲に連設され、平面視において外形が略正方形状の部分である。底面部２６の照射面側の表面には、締結部材により電源部３１、端子台３５が所定の位置に取り付けられる。端子台３５は、図４に示すように、平面視において挿通孔２４ｄの近傍に配置される。具体的には、端子台３５は、ＶＡ線接続部３５ａを挿通孔２４ｄ側に向けた状態で配置されている。周壁部２７は、底面部２６に連設され、収容部２２の内周壁を形成する部分である。
【００２４】
外枠部２３は、収容部２２の周壁部２７に連設され、平面視において、所定幅を有する四角枠状で断面視略Ｌ字状の部分である。外枠部２３は、灯具本体２１の上面となる四角枠状のセード取付部２３ａと、該セード取付部２３ａに連設されて灯具本体２１の外周面を形成する外周面部２３ｂを有している。セード取付部２３ａには、複数（本実施形態では８個）のダルマ孔２８が開口して形成されている。
【００２５】
ダルマ孔２８は、セード取付部２３ａに穿設される貫通孔であり、セード６１が有する係合部材であるネジ部材７１の頭部７１ａを係合するための係合孔である。ダルマ孔２８は、大径孔２８ａ、該大径孔２８ａに連通するスリット孔２８ｂからなる。大径孔２８ａは、セード６１が有するネジ部材７１の頭部７１ａを挿通するために径が該頭部７１ａよりも大径になるように形成された略真円形状の貫通孔である。スリット孔２８ｂは、大径孔２８ａより幅方向に小さいスリット形状の貫通孔である。スリット孔２８ｂは、平面視四角枠状のセード取付部２３ａが有する各辺の延出方向に沿って形成される。ダルマ孔２８は、平面視四角枠状のセード取付部２３ａが有する各辺に２ヶ所ずつ形成される。ダルマ孔２８は、平面視においてセード取付部２３ａが有する各辺の中心線に対して線対称となるようにセード取付部２３ａに形成される。大径孔２８ａは、ネジ部材７１の頭部７１ａをセード取付部２３ａの所定の位置に案内する案内孔である。スリット孔２８ｂは、ネジ部材７１が螺合する軸部６５ａより幅方向に大きくなるように、すなわち、ネジ部材７１が螺合する軸部６５ａが挿通可能に形成されている。スリット孔２８ｂは、大径孔２８ａ側からネジ部材７１が螺合する軸部６５ａをスリット孔２８ｂに挿通させることで頭部７１ａを位置決めすることができる。
【００２６】
ダルマ孔２８は、図４に示すように、平面視においてダルマ孔２８の延出方向を縦方向（図４の上下方向）及び横方向（図４の左右方向）の２方向に配置されたものからなる。ダルマ孔２８の延出方向は、四角枠状のセード取付部２３ａの各辺の延出方向と同じである。
【００２７】
また、セード取付部２３ａには、各辺に２ヶ所づつ配置されたダルマ孔２８の裏面側にネジ部材７１の頭部７１ａの移動制限手段となる板バネ２９が取り付けられている（図７参照）。板バネ２９は、図５に示すように、その一端がスリット孔２８ｂの近傍にネジ部材により取り付けられている。板バネ２９は、ダルマ孔２８の長手方向略中央において下方に突出するように屈曲して配置されている。セード６１のネジ部材７１をダルマ孔２８に係合しようとする場合、ネジ部材７１は、大径孔２８ａに挿入された後、スリット孔２８ｂ側に移動されると、板バネ２９の屈曲部に当接する。この当接状態からさらにセード６１を変位させると、ネジ部材７１の頭部７１ａは板バネ２９の屈曲部を押し、板バネ２９は上方向へ弾性変形する。さらにセード６１を変位させると、ネジ部材７１は板バネ２９の屈曲部を通過し、板バネ２９は元の形状に戻る。これにより、板バネ２９の屈曲部は、ネジ部材７１の頭部７１ａと大径孔２８ａとの間に位置することになり、ネジ部材７１が大径孔２８ａ側へ容易に変位しないようにしている。また、ネジ部材７１の頭部７１ａの幅がスリット孔２８ｂの幅よりも大きいため、ネジ部材７１がスリット孔２８ｂから離脱しないようにしている。こうして、セード６１が有するネジ部材７１を、灯具本体２１のセード取付部２３ａに形成されたダルマ孔２８に挿通し、セード６１をダルマ孔２８の延出方向に沿ってスリット孔２８ｂの先端部に向かってスライドさせることでネジ部材７１の頭部７１ａが板バネ２９により固定され、セード６１が灯具本体２１に取り付けられる。
【００２８】
連結部２４は、灯具本体２１の対向する２ヶ所と、当該２ヶ所の連結部２４以外に少なくとも１ヶ所に配置される。連結部２４は、連結部材８１（図８（ａ）参照）を当接してネジ部材により取り付ける取付部２４ａと、該取付部２４ａに連設する段差部２４ｂと、端子台３５から延出される配線を挿通する挿通孔２４ｃ、２４ｄと、取付部２４ａに灯具本体２１の外側から連結部材８１を導入するための導入口２４ｅと、を有している。取付部２４ａは、収容部２２の周壁部２７に連設され、該周壁部２７から収容部２３の中央側に向けて突出する部分である。段差部２４ｂ及び段差部近傍には、幅方向中央に挿通孔２４ｃ、２４ｄが開口形成されている。挿通孔２４ｃは、光源部４１を介して対向する一対の貫通孔であって、平面視Ｔ字状である。挿通孔２４ｄは、貫通孔であって、平面視略半円状である。挿通孔２４ｄは、電気配線用のＶＡ線を挿通するためのものである。導入口２４ｅは、平面視において外周面部２３ｂの幅方向中央に形成される。導入口２４ｅは、連結部材８１の一端側を挿通可能である。導入口２４ｅは、使用しない場合、蓋部材８５により閉塞可能である。
【００２９】
連結部材８１は、図８（ａ）に示すように、外形が略Ｈ字状であって、側面視（図８（ａ１）参照）において略コ字状である板状の金属製部材である。連結部材８１は、隣接する他の灯具本体２１が有する連結部２４と連結するための連結金具である。連結部材８１は、長手方向の両端に一対の取付片８１ａを有している。取付片８１ａのそれぞれには、ネジ部材により連結部材８１を連結部２４に取り付けるため取付孔８１ｂが形成されている。例えば、２つの照明器具１１を連結する場合、一方の照明器具１１が有する連結部２４に連結部材８１の一端側である一対の取付片８１ａをネジ部材により取り付けて、他方の照明器具１１が有する連結部２４に連結部材８１の他端側である一対の取付片８１ａをネジ部材により取り付ける。
【００３０】
電源部３１は、光源部４１が有するＬＥＤ素子４２に給電を行って、ＬＥＤ素子４２を点灯させるための電源装置である。電源部３１は、略直方体形状の電源ケース３２内に、直方形状に加工されたプリント配線板上に複数の電子部品が実装された電源回路が収容されたものである。電源部３１は、収容部２３に収容されるとともに底面部２６に配置される。具体的には、電源部３１は、外部商用電源から供給される交流電流を所定の直流電流に変換し、変換後の電流を基板４３に実装されたＬＥＤ素子４２に供給するためのものである。電源部３１は、配線３６を介して端子台３５に電気的に接続されている。端子台３５は、底面部２６の隅部に配置される。例えば、照明器具１１を天井等の取付面に取り付ける際、端子台３５から延びる配線を天井裏側の外部商用電源（図示せず）と接続することで、電源部３１は外部商用電源と電気的に接続される。電源部３１と光源部４１は配線３７によって電気的に接続されている。
【００３１】
光源部４１は、照明器具１１の照射面側に向けて光を出射する部分である。光源部４１は、発光素子を有するモジュール基板である。本実施形態においては、発光素子として、基板４３上にＬＥＤ（Ｌｉｇｈｔ  ｅｍｉｔｔｉｎｇ  ｄｉｏｄｅ）素子４２を備えたＣＯＢ型発光モジュールを使用している。具体的には、基板４３は、平板状に加工された基板面に、点光源である複数のＬＥＤを有する円形状のＬＥＤ素子４２を備えたＣＯＢ型発光モジュールである。基板４３は、収容部２２の光源取付部２５に当接して配置され、ネジやソケット等の取付部材により取り付けられる。基板４３は、配線３７によって電源部３１と電気的に接続されている。
なお、本実施形態では、光源としてＣＯＢ型発光モジュールを用いたが、光源の種類はＣＯＢ型発光モジュールに限らず、例えば表面実装型のＬＥＤ素子や有機ＥＬ素子（ＯＬＥＤ）などを用いても実現可能である。
また、基板４３は、熱伝導性シート（図示せず）や放熱グリスを介して光源取付部２５に取り付けてもよく、これにより、より高い放熱性を得ることもできる。
【００３２】
光源カバー５１は、平面視において略円形状で、光源取付部２５に配置された光源部４１（ＬＥＤ素子４２）の照射面側を覆うための薄い板状の透光性部材である。光源カバー５１は、例えば透明な樹脂素材で形成され、表面または裏面に光拡散処理（シボ形成処理や消し形成処理など）が施されている。なお、光源カバー５１は、光拡散剤が混入された樹脂素材で形成されていてもよい。また、光源カバー５１の光拡散処理は省略することができる。光源カバー５１は、高透光度カバーである。光源カバー５１は、ＬＥＤ素子４２に埃などが付着することを防止するものである。光源カバー５１は、径方向の両端部に２ヶ所のネジ取付部（ネジ孔）を有し、ネジ等の取付部材により光源取付部２５に取り付けられる。
なお、本実施形態では、板状の光源カバー５１を用いたが、この形状に特に限定するものではない。例えば、詳細は後述するが図１１に示すように、略円柱状の光源カバー１５１を使用することもできる。
【００３３】
セード６１は、灯具本体２１の照射面側を覆うように取り付けられ、光源部４１からの光を反射及び拡散させつつ、外部へ配光する部材である。セード６１は、平面視において略正方形状であって、薄型の透光性部材である。セード６１は、透光性を有する樹脂素材で形成されている。セード６１は、図６に示すように、内側セード部６２と、外側セード部６３を有している。
【００３４】
内側セード部６２は、光源部４１に対向する位置に配置される。内側セード部６２は、図６に示すように、平面視における中央部に設けられたレンズ部６４と、該レンズ部６４の周囲に連設されて照射面側に凸面形状である凸面部６５と、該凸面部６５の周縁において水平方向外側に突出して形成される周縁部６６とを有している。
【００３５】
レンズ部６４は、平面視において円形状でＬＥＤ素子４２が発した光（発光光）を配光制御（例えば、平行光化または集光による狭角配光制御）するための凸レンズ形状の光学部材である。レンズ部６４は、内側セード部６２に一体成形されている。レンズ部６４は、入射凸部６４ａ、周囲凸部６４ｂ、出射凸部６４ｃを有している。入射凸部６４ａは、ＬＥＤ素子４２が発した光が入射する部分であり、主にＬＥＤ素子４２の出射面の中心付近から出る光が入射する。入射凸部６４ａは、入射面の中央部が光源部４１側に向けて突出した凸曲面形状に形成されている。周囲凸部６４ｂは、入射凸部６４ａの周囲において光源部４１側に凸状に形成されている。周囲凸部６４ｂは、主にＬＥＤ素子４２の周辺に拡散した光が入射する。出射凸部６４ｃは、出射面の中央部が照射面側に向けて突出した凸曲面形状に形成されている。出射凸部６４ｃは、その表面に光拡散処理が施されていてもよい。入射凸部６４ａは、光源カバー５１を介してＬＥＤ素子４２の発光面に対面している。レンズ部６４の外径は、光源部４１の外径よりも大きい。レンズ部６４は、入射凸部６４ａ、周囲凸部６４ｂ、及び出射凸部６４ｃを一体的に形成した部材である。
なお、本実施形態においては、入射凸部６４ａ、周囲凸部６４ｂ、及び出射凸部６４ｃを一体的に形成しているが、特に限定されず、それぞれを別体として構成することもできる。また、本実施形態では、レンズ部６４は、内側セード部６２に一体成形したが、内側セード部６２に対して別部材として作製し、例えばインサート成形や嵌合などにより内側セード部６２と一体化する構成としてもよい。
【００３６】
凸面部６５は、平面視において略正方形状であって、照射面側に凸曲面形状に形成される部分である。凸面部６５は、光源部４１からの光を拡散する機能を有する。
【００３７】
周縁部６６は、平面視において四角枠状であって、セード取付部２３ａに当接して配置される平坦部分である。周縁部６６には、ダルマ孔２８に係合する係合部材である複数（本実施形態では、８カ所）のネジ部材７１が下方に突出するように設けられている。
【００３８】
外側セード部６３は、内側セード部６２において光源部４１に対向する面の裏側に配置される。外側セード部６３は、図６に示すように、平面視における中央部に設けられレンズ部６４を露出させる開口部６７と、該開口部６７から延設されるすり鉢状で断面視傾斜面状の凹部６８と、該凹部６８の周縁から略直方体形状の外形を形成する外形部６９とを有している。外側セード部６３は、光源部４１からの光を拡散する機能を有する。内側セード部６２と外側セード部６３とは組付けられることで、照明器具１１の１つの組み立て部材として、所定の内部空間を有するセード６１を構成する。また、セード６１は、レンズ部６４の周囲に円錐状の凹部６８を有している。
なお、本実施形態において、セード６１は内部空間を有する構成であるが、特に限定するものではない。例えば、セード６１と同じ外形形状で内部空間を有しない構成であってもよい。
また、凹部６８の断面視形状は、傾斜面状以外に、湾曲状にすることもできる。
【００３９】
セード６１は、ネジ部材７１の頭部７１ａをダルマ孔２８に係合することで、灯具本体２１においてセード６１が位置決めされて灯具本体２１に取り付けられる。セード６１は、セード６１の内部の清掃や灯具本体２１の部品交換等のために、灯具本体２１に対して着脱できる構造となっている。
【００４０】
セード６１は、図９に示すように、裏側の対角線上の端部２箇所に貫通孔８３を有している。貫通孔８３は、埃等がセード６１内に入り込んだ場合に、例えば外部から高圧空気を送り込むことで埃を排出するための三角形状に切り欠かれた孔である。
なお、本実施形態では、セード６１に三角形状に切り欠かれた貫通孔８３を設ける構成としているが、特に貫通孔８３の形状を限定するものではない。
【００４１】
次に、本発明の別実施形態に係る照明器具１１１について図１０、図１１を用いて説明する。
なお、照明器具１１１において上述した照明器具１１と異なる部分は、セードの形状及び光源カバーの形状であり、その他の構成は同じであるため、その他の部分の説明は省略する。
【００４２】
光源カバー１５１は、略円柱状で、光源取付部２５に配置された光源部４１（ＬＥＤ素子４２）の照射面側を覆うための透光性部材である。光源カバー１５１は、例えば半透明な樹脂素材で形成される。光源カバー１５１は、ＬＥＤ素子４２からの光を拡散させることができる。光源カバー１５１は、ＬＥＤ素子４２に埃などが付着することを防止するものである。光源カバー１５１は、低透光度カバーである。光源カバー１５１は、底面部２６に設けられた光源カバー取付部８９に嵌合されて取り付けられる。
【００４３】
セード１６１は、灯具本体２１の照射面側を覆うように取り付けられ、光源部４１からの光を反射及び拡散させつつ、外部へ配光する部材である。セード１６１は、平面視において略正方形状であって、薄型の透光性部材である。セード１６１は、透光性を有する樹脂素材で形成されている。セード１６１は、内側セード部１６２と、外側セード部１６３を有している。
【００４４】
内側セード部１６２は、該照射面側に凸面形状である凸面部１６５と、該凸面部６５の周縁において水平方向外側に突出して形成される周縁部１６６とを有している。
【００４５】
凸面部１６５は、平面視において略正方形状であって、照射面側に凸曲面形状に形成される部分である。凸面部１６５は、光源部４１からの光を拡散する機能を有する。
【００４６】
周縁部１６６は、平面視において四角枠状であって、セード取付部２３ａに当接して配置される平坦部分である。周縁部１６６には、ダルマ孔２８に係合する係合部材である複数（本実施形態では、８カ所）のネジ部材７１が下方に突出するように設けられている。なお、内側セード部６２におけるネジ部材７１の取り付け位置と、内側セード部１６２におけるネジ部材７１の取り付け位置とは、ほぼ同一位置であるため、内側セード部６２及び１６２うちいずれか一方を任意に選択して灯具本体２１に取り付けることができる。
【００４７】
外側セード部１６３は、略直方体形状の外形を形成する部分である。外側セード部１６３は、光源部４１からの光を拡散する機能を有する。内側セード部６２と外側セード部６３とは組付けられることで、照明器具１１１の１つの組み立て部材である所定の内部空間を有するセード６１を構成する。
なお、本実施形態において、セード６１は内部空間を有する構成であるが、特に限定するものではない。例えば、セード１６１と同じ外形形状で内部空間を有しない構成であってもよい。
【００４８】
次に、照明器具１１及び照明器具１１１を複数連結する例として、図１２に示すように、１つの照明器具１１と該照明器具１１に隣接する２つの照明器具１１１（図１２に示す照明器具１１１Ａ、照明器具１１１Ｂ）の施工を行う構成について説明する。
先ず、照明器具１１と一方の照明器具１１１Ａとをそれぞれが有する導入口２４ｅを対向させるように隣接させて配置し、連結部材８１をネジ部材により照明器具１１と照明器具１１１Ａのそれぞれが有する連結部２４を連結する。次に、送り配線Ｌ（図８（ｂ）参照）の一方の端子を照明器具１１の端子台３５に接続し、他方の端子を挿通孔２４ｃ介して照明器具１１１Ａの端子台３５に接続することで、照明器具１１と照明器具１１１Ａを電気的に接続する。上記と同様の手順によりにさらに照明器具１１１Ｂを連結すると、図１２に示すように、照明器具１１を真ん中にして両側に照明器具１１１Ａ、照明器具１１１Ｂを連結した状態にすることができる。本実施形態の照明器具１１（照明器具１１１）の場合、一対の連結部２４が使用されても、この一対の連結部２４の他に少なくとも１カ所連結部２４を有するため、照明器具１１（照明器具１１１）を直線方向だけでなく直線方向に直交する方向にも連結することが可能である。
【００４９】
以上説明した本実施形態に係る照明器具１１によれば、灯具本体２１を他の灯具本体２１と連結可能な連結部２４を備える。また、連結部２４は、灯具本体２１の対向する２ヶ所と、当該２ヶ所の連結部２４以外に少なくとも１ヶ所とに配置される。すなわち、照明器具１１に、このような配置で連結部２４を設けることで、複数の照明器具１１を縦方向及び横方向に自在に連結することができる。つまり、照明器具１１によれば、任意の数の灯具本体２１を任意の方向に並べて連結したり、任意の形状となるように連結したりすることができる。
【００５０】
また、灯具本体２１同士は、１つの連結部材８１により連結する。これにより、部材点数が少なく、施工性が向上する。
【００５１】
また、本実施形態では、レンズ部６４を有するタイプのセードであるセード６１と、光の拡散機能を有するタイプのセード１６１とを説明したが、セード６１は、レンズ部６４を備えるため、該レンズ部６４により光源部４１からの光を集光してスポット光を得ることができる。さらに、セード６１は、レンズ部６４の周囲に全面発光する拡散部である凹部６８及び外形部６９を有している。これにより、スポット光に加えて拡散光を得ることができる。一方、セード１６１は、光源部４１からの光を拡散させてセード１６１の表面が全面発光する。このように、本実施形態の照明器具１１や照明器具１１１のように、セードの選択により任意の配光を得ることができる。
【００５２】
また、灯具本体２１には、光源部４１に対向する位置にレンズ形状に形成されたレンズ部６４を有する第１セードであるセード６１が着脱可能である。さらに、灯具本体２１には、光源部４１に対向する位置に配置される内側セード部１６２と、内側セード部１６２において光源部４１に対向する面の裏側に配置される外側セード部１６３とを備える第２セードであるセード１６１が着脱可能である。これにより、灯具本体２１は、照明用途に応じて、第１セード（セード６１）及び第２セード（セード１６１）を選択的に着脱可能である。
【００５３】
灯具本体２１は、セード６１を着脱可能なダルマ孔２８を備える。また、ダルマ孔２８は、ダルマ孔２８の延出方向を縦方向及び横方向の２方向のものからなる。これにより、複数の灯具本体２１を連結した場合でも、隣接するセード６１との干渉を回避する方向にセード６１の移動方向を選択して、セード６１の着脱が可能となる。
【００５４】
光源部４１は、光源カバー（モジュールカバー）で覆われている。光源カバーは、透明性が高い高透光度カバーである光源カバー５１や低透光度カバーである光源カバー１５１を採用することができる。上述したように、高透光度カバーである光源カバー５１は、レンズ部６４を有するセード６１に対応して使用することで光量の損失が少ないので高効率なスポット光を得ることができる。一方、低透光度カバーである光源カバー１５１は、拡散タイプのセードであるセード１６１に採用することで、多段階的に光を拡散することができるため、照度ムラを抑えた拡散光を得ることができる。
【００５５】
灯具本体２１が備える端子台３５は、ＶＡ線接続部３５ａを灯具本体２１のＶＡ線挿通孔である挿通孔２４ｄに向けて配置している。これにより、施工時にＶＡ線を端子台に接続しやすい。具体的には、照明器具１１を壁付灯として壁面に設置した際に、端子台３５のＶＡ線接続部３５ａが右側に向くように配置する。これにより、配線作業者がＶＡ線を端子台３５に右手で接続することができる。また、照明器具１１を壁付灯として壁面に設置した際に、ダルマ孔２８の大径孔２８ａが上側に位置するように照明器具１１を配置することができる。これにより、セード６１を鉛直方向に移動させてダルマ孔２８に装着する構成になるため、セード６１のネジ部材７１がスリット孔２８ｂの先端部に安定して保持され、セード６１が不意に外れることを防止できる。
【００５６】
また、本実施形態では、セード６１（セード１６１）は、その外形が外側セード部６３と内側セード部６２（外側セード部１６３と内側セード部１６２）からなる二重構造となっており、外側部と内側部の間に空間を有する構造である。これより、光源部４１から出た光が２段階で拡散されるため、照度ムラを軽減することができる。さらに、セード６１及び１６１が二重構造であるため、セード６１及び１６１の強度や剛性を確保できる。
【００５７】
また、セード６１は、取付面側（裏側）の四隅の少なくとも一ヶ所に内部空間に連通する貫通孔８３を設けている。これにより、セード６１内部にホコリ等が入っても、貫通孔８３はホコリを抜くための開口部として機能してホコリを取り出すことができる。
【００５８】
本実施形態では、レンズ部６４がセード６１に一体的に形成されている。これにより、レンズ部をセードに組み付ける工程が必要でなくなり、製造が容易になる。
【００５９】
レンズ部６４を有するセード６１は、レンズ部６４の周囲に円錐状の凹部６８を備える。これにより、レンズ部６４から出射された光がセード６１の角部等により遮られること（レンズ部６４のケラレ）を防ぐことができる。
【００６０】
以上、本発明の実施形態について説明したが、本発明は上記実施形態に限定されるものではなく、様々な変更が可能である。例えば、照明器具１１や照明器具１１１は平面視において略正方形状としたが、長方形状、多角形状やその他の形状としてもよい。
【符号の説明】
【００６１】
１１    照明器具
２１    灯具本体
２４    連結部
４１    光源部
６１    セード
６４    レンズ部
６８    凹部
６９    外形部
【図１】
2015210964.tif 000003
【図２】
2015210964.tif 000004
【図３】
2015210964.tif 000005
【図４】
2015210964.tif 000006
【図５】
2015210964.tif 000007
【図６】
2015210964.tif 000008
【図７】
2015210964.tif 000009
【図８】
2015210964.tif 000010
【図９】
2015210964.tif 000011
【図１０】
2015210964.tif 000012
【図１１】
2015210964.tif 000013
【図１２】
2015210964.tif 000014